(57)【要約】【課題】記録再生装置におけるディスクタイプの確認が容易となり、一つの記録再生装置で他の種類の光ディスクと共用化できると共に、ディスクの生産が容易になる。そしてＲＯＭ層の旧データを、ネット接続できる際に得た更新データをＲＥ層に記録し、置き換えることが可能になる光情報記録媒体を実現できる。【解決手段】光情報記録媒体１は、基板５０上に、ＲＯＭ層２０及びＲＥ層４０と、ＲＯＭ層２０及びＲＥ層４０を分離する中間層３０と、基板５０より最も遠い位置に設けられた透光層１０と、を有する。そして、ＲＥ層４０は、透光層１０より最も遠い位置に設けられた情報記録層であり、且つＲＯＭ層２０において用いられている情報記録形式より、容易に判定可能な方式で記録されるＢＣＡの記録層であって、透光層１０表面の防汚特性が、ＲＥ層４０を基準に定められている。【選択図】図１
2011040147.tif 000002
【特許請求の範囲】
【請求項１】
基板上に、再生光によって情報を読み出すことが可能な複数の情報記録層と、上記複数の情報記録層各々を分離する中間層と、上記基板より最も遠い位置に設けられた透光層とを有し、上記複数の情報記録層は、情報を読み出すことのみ可能な層と情報を書き換えることが可能な領域を含む書き換え層からなる光情報記録媒体であって、
上記透光層より最も遠い位置に設けられた情報記録層が、情報を書き換えることが可能な領域を含む書き換え層であり、且つ光照射によって情報を読み出すことのみ可能な層において用いられている情報記録形式より容易に検出可能な方式で記録されるディスクタイプ識別情報及び個体識別番号の記録層であり、
上記読み出すことのみ可能な層には、設けられている情報を再生した場合に得られるプッシュプル信号の極性が、ポジティブになる記録形式にてプリピットが形成されており、
上記透光層表面の構造及び/又は材料が、上記書き換え層を基準に定められた防汚特性及び耐擦傷特性を有するように選ばれていることを特徴とする光情報記録媒体。
【請求項２】
上記容易に判定可能な方式は、パルスレーザー光を情報記録層に照射して、μｍ単位の幅で長さがμｍ単位からｍｍ単位のストライプを形成し、情報を記録する方式であることを特徴とする請求項１に記載の光情報記録媒体。
【請求項３】
上記ディスクタイプ識別情報、及び上記個体識別番号が記録される半径位置は、情報の再生にトラッキングが必要となる情報記録領域より内周にあることを特徴とする請求項１又は２に記載の光情報記録媒体。
【請求項４】
上記透光層より最も遠い位置に設けられた情報記録層のトラックパス方向が内周から外周に向かう方向となっており、且つ上記トラックパス方向に対し、上記透光層より最も遠い位置に設けられた上記情報を読み出すことのみ可能な層のトラックパスがパラレルトラックパスとなっていることを特徴とする請求項１乃至３の何れか１項に記載の光情報記録媒体。
【請求項５】
上記情報を読み出すことのみ可能な層のリードイン領域がコンテンツ記録領域より内周部に設けられていることを特徴とする請求項１乃至４の何れか１項に記載の光情報記録媒体。
【請求項６】
上記書き換え層のアドレスは、上記書き換え層に設けられたグルーブを基板面方向に蛇行させることによって記録され、上記情報を読み出すことのみ可能な層のアドレスは、当該情報を読み出すことのみ可能な層に設けられた凹凸からなるプリピットにより記録されていることを特徴とする請求項１乃至５の何れか１項に記載の光情報記録媒体。
【請求項７】
基板上に、再生光によって情報を読み出すことが可能な複数の情報記録層と、上記複数の情報記録層各々を分離する中間層と、上記基板より最も遠い位置に設けられた透光層とを有し、上記複数の情報記録層は、情報を読み出すことのみ可能な層と情報を書き換えることが可能な領域を含む書き換え層からなる光情報記録媒体であって、
上記透光層より最も遠い位置に設けられた情報記録層が、情報を書き換えることが可能な領域を含む書き換え層であり、且つ光照射によって情報を読み出すことのみ可能な層において用いられている情報記録形式より容易に検出可能な方式で記録されるディスクタイプ識別情報及び個体識別番号の記録層であり、
上記読み出すことのみ可能な層にはオンピット形式により情報が記録されており、
上記透光層表面の構造及び/又は材料が、上記書き換え層を基準に定められた防汚特性及び耐擦傷特性を有するように選ばれていることを特徴とする光情報記録媒体。
【請求項８】
上記容易に判定可能な方式は、パルスレーザー光を情報記録層に照射して、μｍ単位の幅で長さがμｍ単位からｍｍ単位のストライプを形成し、情報を記録する方式であることを特徴とする請求項７に記載の光情報記録媒体。
【請求項９】
上記ディスクタイプ識別情報、及び上記個体識別番号が記録される半径位置は、情報の再生にトラッキングが必要となる情報記録領域より内周にあることを特徴とする請求項７又は８に記載の光情報記録媒体。
【請求項１０】
上記透光層より最も遠い位置に設けられた情報記録層のトラックパス方向が内周から外周に向かう方向となっており、且つ上記トラックパス方向に対し、上記透光層より最も遠い位置に設けられた上記情報を読み出すことのみ可能な層のトラックパスがパラレルトラックパスとなっていることを特徴とする請求項７乃至９の何れか１項に記載の光情報記録媒体。
【請求項１１】
上記情報を読み出すことのみ可能な層のリードイン領域がコンテンツ記録領域より内周部に設けられていることを特徴とする請求項７乃至１０の何れか１項に記載の光情報記録媒体。
【請求項１２】
上記書き換え層のアドレスは、上記書き換え層に設けられたグルーブを基板面方向に蛇行させることによって記録され、上記情報を読み出すことのみ可能な層のアドレスは、当該情報を読み出すことのみ可能な層に設けられた凹凸からなるプリピットにより記録されていることを特徴とする請求項７乃至１１の何れか１項に記載の光情報記録媒体。
【発明の詳細な説明】
【技術分野】
【０００１】
本発明は、光情報記録媒体に関する。
【背景技術】
【０００２】
現在、コンビネーションディスク（ＲＯＭ（再生専用）層とＲＥ（記録再生）層とが混在する多層光ディスク）が求められている。その理由は、例えば以下のことがあげられる。カーナビソフトでは、常にネットに接続できるわけではなく、全ての地図情報をダウンロードするには時間が掛かるため、安価なＲＯＭでの配布が望ましい。一方、地図情報は日々変わるため、ネットから新たに更新できるほうが望ましい。この両方の問題を解決できるＲＯＭ層の旧データを、ネット接続できる際に得た更新データをＲＥ層に記録し、置き換えることが可能になるコンビネーションディスクが求められていた。
【０００３】
上記コンビネーションディスクを実現するには、特許文献１にあるように、再生光入射面から最も遠い位置にある情報記録層（以下、Ｌ０層と称する）からの戻り光には、他の情報記録層の存在により損失が生じるため、一般にＲＥ層より反射率の高いＲＯＭ層を設けるほうが好ましいと考えられていた。
【０００４】
また、光ディスクの一つの規格において、ＲＯＭ，Ｒ，ＲＷ，ＲＥ等種類があると共に、記録容量向上の為に情報記録層を２層にするなど様々なバージョン（ディスクタイプ）がある。そして、例えば、上記のようなカーナビでの使用を想定すると、一つの記録再生装置で、カーナビを使用していない時には、レンタル映画ソフト（ＲＯＭ）や自宅での録画したドラマを録画したディスク（Ｒ，ＲＷ，ＲＥ）を再生できることが望まれるので、上記記録再生装置においては、ディスクが装填された場合、できるだけ容易にディスクのタイプを判別する手段が必要となる。
【０００５】
上記ディスクタイプを判別する手段としては、情報記録領域外にバーコードを印刷する等の方式等も考えられるが、後述する理由のため、情報付加後は修正が出来ず、ディスクが完成した状態で記録するほうが望ましい。このため、実質的には、ＢＣＡ記録（ＹＡＧレーザ等によりパルスレーザー光を情報記録層に照射して、例えば約１０μｍ程度の幅で長さが数百μｍのストライプ（バーコードのような）を形成し、情報を記録すること）のような光照射を用いたディスク内部への記録が望ましい。
【０００６】
特許文献１には、再生光入射面より順に透明基板、ＲＥ層、中間層、ＲＯＭ層、保護樹脂膜からなるコンビネーションディスクが開示されている。
【０００７】
特許文献１に開示されているようなコンビネーションディスクを実現するには、再生光入射面から最も遠い位置にある情報記録層（Ｌ０）からの戻り光は、他の情報記録層の存在により損失が生じるため、一般にＲＥ層より反射率の高いＲＯＭ層を設けるほうが好ましい。
【０００８】
また、非特許文献には、ディスクタイプを判断する方法として、ビームエキスパンダの値やフォーカスやトラッキングの状態が最適でなくとも判定可能となるような大きさの記録マークにて情報を記録する方法（ＢＣＡ）が記載されている。
【先行技術文献】
【特許文献】
【０００９】
【特許文献１】特開平９−１０６５４６号公報（１９９７年４月２２日公開）
【特許文献２】特開２００６−１２０３１８号公報（２００６年５月１１日公開）
【非特許文献】
【００１０】
【非特許文献１】（Standard ECMA-267,-382,-384）
【発明の概要】
【発明が解決しようとする課題】
【００１１】
しかしながら、非特許文献（ＤＶＤ規格）に記載の技術では、ディスクのタイプによって、ＢＣＡ記録する位置がまちまちであるという問題があった。例えば、ＤＶＤ−ＲＯＭは、光入射面から遠い基板に設けられた情報記録層にＢＣＡ記録を行うための記録層が設けられており、２層のＤＶＤ−Ｒ、−ＲＷは光入射面に近い基板に設けられた情報記録層にＢＣＡ記録を行うための記録層が設けられている。すなわち、記録再生装置は、ディスクのどの層にＢＣＡが設けてあるかを予め設定することが出来ず、ＢＣＡを再生する場合に、記録されている層を確定するために、ある程度のフォーカスサーチが必要であった。
【００１２】
また、特許文献１に開示されているように、再生光入射面から最も遠い位置にある情報記録層（Ｌ０）に、ＲＯＭ層を設けるコンビネーションディスクでは、後述する理由で、再生光入射面から最も遠い層にＢＣＡ記録することは困難であるという問題点があった。
【００１３】
ＤＶＤタイプよりも、容量アップが図りやすいＢＤ形式の多層ディスクでは、上記情報が記録される層は、ＢＤタイプの多層ディスクにおいては、単板光ディスクであることから、基板上に必ず情報記録層が設けられる。
【００１４】
なぜならば、ＤＶＤのような２枚の基板を貼り合せる複板光ディスクでは、どちらの基板表面に情報記録層があってもコスト等に差が生じないが、単板光ディスクにおいては、情報記録層を２層化するためには、基板に設けられた情報記録層の上に中間層を設けて新たな情報記録層を設ける必要がある。このため、コストの点から基板上に情報記録層を設けないで、中間層を設けることは、実質ありえないためである。
【００１５】
すなわち、ＢＤタイプの光ディスクの規格においては、基板上に必ず情報記録層が設けられることになるので、上記情報記録層に記録された情報を再生するための記録再生装置は、記録された場所を想定しやすく、ＢＣＡ(Burst cutting area)再生の設定を予め行うことが可能になる。よって、一つの記録再生装置において、同一規格内の様々な種類の媒体を共用（ディスクタイプを認識するのみを含む）しやすくなる。
【００１６】
しかしながら、上記を実現するためには、特許文献１に記載のコンビネーションディスクには以降に示す点で問題があった。
【００１７】
まず、ＢＣＡ記録（ＹＡＧレーザ等によりパルスレーザー光を情報記録層に照射して、例えば約１０μｍ程度の幅で長さが数百μｍのストライプ（バーコードのような）を形成し、情報を記録すること）は、再生が容易になるように特定の位置に記録されていることが望ましい。更に、ＢＤ構成の場合は後述する理由により、Ｌ０の位置に記録されることが望ましい。
【００１８】
また、ＢＣＡ記録時には、ＲＥ層への不正なダビング等を防止できるディスクの個体識別番号も同時に記録されることがコストダウンのためには好ましい。
【００１９】
さらに、個体識別番号を記録する場合は、製造上の管理の観点から、ディスクが完成した状態で記録するほうが望ましい。
【００２０】
すなわち、実質的にはＢＣＡ記録はディスクが完成した状態で記録する必要がある。ところで、詳細は後述するが、ＢＣＡ記録において、ＲＯＭ層への記録とＲＥ層への記録では、記録する際に必要なレーザの出力が大きく異なる。異なる理由は、ＲＥ層であれば、通常の情報記録を行う場合と同様に、記録マークの状態を結晶状態とアモルファス状態へ相変化させれば良いが、ＲＯＭ層の場合はコストの観点から通常金属反射膜のみが設けられているため、相変化させることは出来ず、金属膜を焼き切るような状態にすることで記録するため、より大出力のレーザを用いる必要があるためである。
【００２１】
一方、２層ＲＥディスクにおいては、Ｌ０にＢＣＡ記録する場合、少なくとも直上のＲＥ層（Ｌ１）においても、Ｌ０層へと透過する高出力レーザによる熱により、相変化が起こる場合がある。
【００２２】
よって、少なくともＬ０層がＲＯＭ層であるコンビネーションディスクは、Ｌ０層が情報記録層の中で、最も光入射面より遠い位置に設けられているため、ＢＣＡ記録の際、ビームが必ず他の情報記録層を通過するので、その途中のいずれかの層に必ず存在するＲＥ層をビームが通過する。詳細は後述するが、その場合、ＲＯＭ層に比べてＲＥ層は光を吸収しやすいので、ＲＥ層の温度が上昇し、その熱により透光層とＲＥ層が剥離するという現象が生じる。このような現象が生じると、Ｌ０層上にフォーカスすることができず、Ｌ０層上にＢＣＡ記録された情報が正しく再生できない。
【００２３】
また、Ｌ０層がＲＯＭ層であるコンビネーションディスクでは、後述する理由により、再生不良を起こす可能性もあった。
【００２４】
また、通常ＲＯＭディスクとＲＥディスクでは、信号の変調度が異なり、ＲＯＭディスクのほうが高いため、光入射面上への指紋や埃の付着や光入射面の傷つき等に起因するノイズに対する耐性が異なるので、透光層表面の防汚特性や耐擦傷特性がＲＯＭ層にのみ適合するものである場合、ＲＥ層への記録やＲＥ層からの情報の再生が正しく出来ない可能性がある。
【００２５】
本発明の目的は、上記の問題に鑑み、同一規格内の他の様々な種類（Ｒ,ＲＥ,Ｒや層数が異なる媒体）と記録再生装置を共用でき、大容量情報を安価に配布可能であると共に、更新データにて随時アップデート可能な光情報記録媒体を提供することである。
【課題を解決するための手段】
【００２６】
上記の課題を解決するために、本発明の光情報記録媒体は、基板上に、再生光によって情報を読み出すことが可能な複数の情報記録層と、上記複数の情報記録層各々を分離する中間層と、上記基板より最も遠い位置に設けられた透光層とを有し、上記複数の情報記録層は、情報を読み出すことのみ可能な層と情報を書き換えることが可能な領域を含む書き換え層からなる光情報記録媒体であって、上記透光層より最も遠い位置に設けられた情報記録層が、情報を書き換えることが可能な領域を含む書き換え層であり、且つ光照射によって情報を読み出すことのみ可能な層において用いられている情報記録形式より容易に検出可能な方式で記録されるディスクタイプ識別情報及び個体識別番号の記録層であり、上記読み出すことのみ可能な層には、設けられている情報を再生した場合に得られるプッシュプル信号の極性が、ポジティブになる記録形式にてプリピットが形成されており、上記透光層表面の構造及び/又は材料が、上記書き換え層を基準に定められた防汚特性及び耐擦傷特性を有するように選ばれていることを特徴とする。
【００２７】
上記の課題を解決するために、本発明の光情報記録媒体は、基板上に、再生光によって情報を読み出すことが可能な複数の情報記録層と、上記複数の情報記録層各々を分離する中間層と、上記基板より最も遠い位置に設けられた透光層とを有し、上記複数の情報記録層は、情報を読み出すことのみ可能な層と情報を書き換えることが可能な領域を含む書き換え層からなる光情報記録媒体であって、上記透光層より最も遠い位置に設けられた情報記録層が、情報を書き換えることが可能な領域を含む書き換え層であり、且つ光照射によって情報を読み出すことのみ可能な層において用いられている情報記録形式より容易に判定可能な方式で記録されるディスクタイプ識別情報及び個体識別番号の記録層であり、上記読み出すことのみ可能な層にはオンピット形式により情報が記録されており、上記透光層表面の構造及び/又は材料が、上記書き換え層を基準に定められた防汚特性及び耐擦傷特性を有するように選ばれていることを特徴とする。
【００２８】
ここで、上記ディスクタイプ識別情報とは、ディスクタイプを識別するための情報である。すなわち、ディスクタイプ識別情報とは、ディスクに設けられている情報記録層の数や、設けられた情報記録層の種類（ＲＯＭ，Ｒ，ＲＥ等)を表したり、上記複数の情報記録層のうち、上記情報を読み出すことのみ可能な層（以下、ＲＯＭ層と称する）と、上記情報を書き換えることが可能な領域を含む書き換え層（以下、ＲＥ層と称する）との配置位置を表す情報であり、光情報記録媒体の種類を識別するための情報である。
【００２９】
また、上記個体識別番号とは、光情報記録媒体の個体を識別するための番号であり、ＢＣＡ記録の際に、併せて光情報記録媒体に記録されることが好ましい。上記個体識別番号を適宜用いることにより、ＲＥ層への不正なダビング等を防止することができる。
【００３０】
上記構成によると、上記ディスクタイプ識別情報及び上記個体識別情報は、上記透光層より最も遠い位置に設けられた情報記録層（以下、Ｌ０層と称する）に記録されている。
【００３１】
このため、上記複数の情報記録層のうち、上記ディスクタイプ識別情報及び上記個体識別情報がどの層に記録されているかを、上記ディスクタイプ識別情報及び上記個体識別情報を再生する再生装置に、予め設定させておくことが可能となる。これにより、上記複数の情報記録層のうち、上記ディスクタイプ識別情報及び上記個体識別情報が記録されている層を、上記再生装置に特定させるための時間を短縮することができる。さらに、同一の再生装置で、さまざまなディスクタイプの光情報記録媒体の共用化が容易になる。
【００３２】
また、上記構成によると、上記透光層より最も遠い位置に設けられた情報記録層が、ＲＥ層である。つまり、上記構成によると、Ｌ０層としてＲＥ層が配置されることとなる。
【００３３】
このため、Ｌ０層としてＲＯＭ層を配置した場合に生じる、上記ＲＯＭ層にＢＣＡを記録する際の上記ＲＥ層と、当該ＲＥ層の上層または下層に配される中間層や、透光層などとが剥離することを防止することができる。このため、Ｌ０層にＢＣＡ記録された上記ディスクタイプ識別情報や、上記個体識別番号などを、正しく再生装置などに再生させることができる。
【００３４】
さらに、上記構成では、ＲＯＭ層にはオンピット形式により情報が記録されている。つまり、ＲＯＭ層に形成されているプリピットが凸形状となっている。
【００３５】
よって、後述の理由により、再生装置における再生時に、ＲＯＭ層からＲＥ層へのレイヤージャンプに失敗し、誤って再度ＲＯＭ層にフォーカスされた場合においても、ＲＯＭ層の情報が再生可能となり、コンビネーションディスクの再生不良を防止することができる。
【００３６】
これにより、コンビネーションディスクにおける再生不良が防止可能になる。
【００３７】
また、オンピット形式により情報が記録されているＲＯＭ層を再生した場合の、プッシュプル信号の極性はポジティブとなる。
【００３８】
換言すると、ＲＯＭ層には、設けられている情報を再生した場合に得られるプッシュプル信号の極性が、ポジティブになる記録形式にてプリピットが形成されていると言える。
【００３９】
また、上記構成によると、上記透光層表面の防汚特性は、上記書き換え層を基準に定められているので、ＲＯＭ層にのみ適合し、ＲＥ層への記録やＲＥ層からの情報の再生に問題が生じることを防止できる。
【００４０】
ここで、ＲＥ層を基準に定められている透光層表面の防汚特性及び耐擦傷特性とは、例えば、ＲＥ層を有する光情報記録媒体の透光層表面に対して、特許文献２に記載の擬似指紋付着試験や磨耗試験を行った後、ＲＥ層から信号を再生した場合、実用上問題ない程度に信号の劣化が抑制される防汚特性及び耐擦傷特性になっていればよい。
【００４１】
一般的に、ＲＥ層より、ＲＯＭ層のほうが信号の変調度が高いため、ＲＥ層より、ＲＯＭ層のほうが光入射面上への指紋や埃の付着や光入射面の傷つき等に起因するノイズに対する耐性が高い。このため、透光層表面の防汚特性や耐擦傷特性がＲＯＭ層にのみ適合するものである場合、ＲＥ層への記録やＲＥ層からの情報の再生が正しく出来ない可能性がある。
【００４２】
そこで、上記構成のように、上記透光層表面の構造及び/又は材料が、上記書き換え層を基準に定められた防汚特性及び耐擦傷特性を有するように選ばれていることで、ＲＯＭ層とＲＥ層とを備える光情報記録媒体で、ＲＥ層への情報の記録再生を正しく行なうことができる。
【００４３】
このように、上記構成は、ＤＶＤタイプよりも、記録容量アップが図りやすいＢＤ形式の多層ディスクであり、且つコンビネーションディスクにおいては、光入射面に対して遠い情報記録層（Ｌ０）にユーザが利用する情報記録形式より容易に判定可能な方式で記録されるディスクタイプ識別情報及び個体識別番号（ＢＣＡ記録時に記録される情報）があると共に、ＲＥ層が配置され、ＲＯＭ層に設けられているプリピットの記録形式は、オンピットとなっている。換言すると、ＲＯＭ層には、設けられている情報を再生した場合に得られるプッシュプル信号の極性が、ポジティブになる記録形式にてプリピットが形成されている。
【００４４】
更に、上記構成は、ＲＯＭ層の透光層表面の防汚特性及び耐擦傷特性がＲＥ層への情報の記録やＲＥ層からの情報の再生に問題が生じない構成である。
【００４５】
上記構造により、記録再生装置におけるディスクタイプの確認が容易となり、一つの記録再生装置で他の種類の光ディスクと共用化できると共に、ディスクの生産が容易になる。そしてＲＯＭ層の旧データを、ネット接続できる際に得た更新データをＲＥ層に記録し、置き換えることが可能になる光情報記録媒体を実現できる。
【００４６】
本発明の光情報記録媒体は、さらに、上記判定可能な方式がパルスレーザー光を情報記録層に照射して、μｍ単位の幅のストライプを形成し、長さがμｍ単位からｍｍ単位のストライプを形成し、情報を記録する方式であることが好ましい。
【００４７】
上記構成により、ディスクタイプ識別情報及び個体識別番号を読み取るための再生装置での再生時において、フォーカスや再生光照射の半径方向位置が多少ずれたとしても、上記再生装置で、ディスクタイプ識別情報及び個体識別番号を読み取ることができる。
【００４８】
本発明の光情報記録媒体は、さらに、上記ディスクタイプ識別情報及び上記個体識別番号が記録される情報を再生する際にトラッキングが必須ではない領域の半径位置が、情報を再生する際にトラッキングが必要な情報記録領域より内周にあることが好ましい。
【００４９】
換言すると、上記ディスクタイプ識別情報、及び上記個体識別番号が記録される半径位置は、情報の再生にトラッキングが必要となる情報記録領域より内周にあることが好ましい。
【００５０】
上記構成によると、上記ディスクタイプ識別情報及び上記個体識別番号は、光情報記録媒体の内周近傍に配置される。このため、上記ディスクタイプ識別情報及び上記個体識別番号を、情報記録領域より外周側、つまり、光情報記録媒体の外周近傍に配置する場合と比較して、上記ディスクタイプ識別情報及び上記個体識別番号を光情報記録媒体に記録するための時間を短縮することができ、情報記録容量を増大できる。
【００５１】
また、本発明の光情報記録媒体は、上記透光層より最も遠い位置に設けられた情報記録層のトラックパス方向が内周から外周に向かう方向となっており、且つ上記情報を読み出すことのみ可能な層の中で最も上記透光層より遠い位置に設けられた上記情報を読み出すことのみ可能な層とのトラックパスがパラレルトラックパスとなっていることが好ましい。
【００５２】
上記構成によると上記情報を読み出すことのみ可能な層の中で最も上記透光層より遠い位置に設けられた上記情報を読み出すことのみ可能な層の作製に必要なスタンパの作製時に内周近傍よりカッティングを開始することが可能になるので、上記情報記録領域全面に情報を記録する場合以外は、外周部近傍よりカッティングを開始するより、精度的な面でカッティングが容易になり、製造コストが低減できる。
【００５３】
また、上記情報を読み出すことのみ可能な層のリードイン領域がコンテンツ記録領域より内周部に設けられていることが好ましい。
【００５４】
上記構成によると、上記リードイン領域に記録されている媒体情報（媒体種類情報、再生条件情報、セクター最終番号情報等の情報）が、光情報記録媒体の内周近傍に配置される。このため、上記媒体情報を、上記情報記録領域より外周側、つまり、光情報記録媒体の外周近傍に配置する場合と比較して、上記情報を読み出すことのみ可能な層の作製に必要なスタンパの作製時に内周近傍に上記媒体情報を記録できるため、スタンパを製造する時間を低減でき、ひいては製造コストが低減でき、更に情報記録容量を増大できる。
【００５５】
なぜならば、上記媒体情報は上記情報記録領域に記録されたコンテンツ情報を再生する場合に、必要であるため、素早く再生する必要がある。
【００５６】
このため、上記媒体情報は、アドレスの確認等無しに再生できることが好ましいため、半径方向に一定の幅（ピックアップを半径方向に移動させるサーボモーター等の精度で決まり、例えば数百μｍ単位の幅）の領域に、１周のどの位置から再生を開始しても、すぐに情報が再生できるように同じ情報が、繰り返し記録されているため、外周近傍に設けるとより広い領域が必要となり、より多くの情報を記録する必要が生じるためである。
【００５７】
本発明の光情報記録媒体の上記書き換え層のアドレスは、上記書き換え層に設けられたグルーブを基板面方向に蛇行させることによって記録され、上記情報を読み出すことのみ可能な層のアドレスは、当該情報を読み出すことのみ可能な層に設けられた凹凸からなるプリピットにより記録されていることが好ましい。
【００５８】
ここで、ＲＥ層には、情報記録時に半径方向に隣接する記録マーク同士が干渉しないように、または精度良く再生するために、通常グルーブが設けられている。よって、アドレス情報を記録するためには、上記書き換え層に設けられたグルーブを、基板面方向に蛇行させることによって記録する（以下、ウォブルと称する）ことが最も容易である。一方、グルーブ上にプリピットを設けたり、グルーブの途中にプリピットを設けたりすることは、作業が複雑になるため作製コストが増大する。
【００５９】
同様に、ＲＯＭ層には一般に凹凸からなるプリピットにより情報記録されているので、上記と同様の理由により、アドレス情報を記録するためには、グルーブ上にプリピットを設けたり、グルーブの途中にプリピットを設けたりすることに比べて、作製コストの増大を防止することができる。
【発明の効果】
【００６０】
以上のように、本発明の光情報記録媒体は、基板上に、再生光によって情報を読み出すことが可能な複数の情報記録層と、上記複数の情報記録層各々を分離する中間層と、上記基板より最も遠い位置に設けられた透光層とを有し、上記複数の情報記録層は、情報を読み出すことのみ可能な層と情報を書き換えることが可能な領域を含む書き換え層からなる光情報記録媒体であって、上記透光層より最も遠い位置に設けられた情報記録層が、情報を書き換えることが可能な領域を含む書き換え層であり、且つ光照射によって情報を読み出すことのみ可能な層において用いられている情報記録形式より容易に検出可能な方式で記録されるディスクタイプ識別情報及び個体識別番号の記録層であり、上記読み出すことのみ可能な層には、設けられている情報を再生した場合に得られるプッシュプル信号の極性が、ポジティブになる記録形式にてプリピットが形成されており、上記透光層表面の構造及び/又は材料が、上記書き換え層を基準に定められた防汚特性及び耐擦傷特性を有するように選ばれている。
【００６１】
以上のように、本発明の光情報記録媒体は、基板上に、再生光によって情報を読み出すことが可能な複数の情報記録層と、上記複数の情報記録層各々を分離する中間層と、上記基板より最も遠い位置に設けられた透光層とを有し、上記複数の情報記録層は、情報を読み出すことのみ可能な層と情報を書き換えることが可能な領域を含む書き換え層からなる光情報記録媒体であって、上記透光層より最も遠い位置に設けられた情報記録層が、情報を書き換えることが可能な領域を含む書き換え層であり、且つ光照射によって情報を読み出すことのみ可能な層において用いられている情報記録形式より容易に判定可能な方式で記録されるディスクタイプ識別情報及び個体識別番号の記録層であり、上記読み出すことのみ可能な層にはオンピット形式により情報が記録されており、上記透光層表面の構造及び/又は材料が、上記書き換え層を基準に定められた防汚特性及び耐擦傷特性を有するように選ばれている。
【００６２】
それゆえ、記録再生装置におけるディスクタイプの確認が容易となり、一つの記録再生装置で他の種類の光ディスクと共用化できると共に、ディスクの生産が容易になる。そしてＲＯＭ層の旧データを、ネット接続できる際に得た更新データをＲＥ層に記録し、置き換えることが可能になる光情報記録媒体を実現できる。
【図面の簡単な説明】
【００６３】
【図１】本発明の光情報記録媒体の構成を表す概略図である。
【図２】本発明の光情報記録媒体の構成を表す平面図である。
【図３】本発明の一実施形態に係る光情報記録媒体のＢＣＡの一例を表す概略図である。
【図４】（ａ）は、Ｌ０層及びＬ１層が共に、ＲＯＭ層である光情報記録媒体の構成を表す概略図であり、（ｂ）はＬ０層及びＬ１層が共に、ＲＥ層である光情報記録媒体の構成を表す概略図であり、（ｃ）はＬ０層がＲＥ層であり、Ｌ１層がＲＯＭ層である光情報記録媒体の構成を表す概略図である。
【図５】図４（ａ）に示す光情報記録媒体にＢＣＡ記録を行った箇所の表面の様子を表す要部拡大図である。
【図６】図５で示す光情報記録媒体の表面である透光層の厚みを測定した結果を表すグラフである。
【図７】オングルーブ記録形式のＲＥ層を説明する概略図である。
【図８】インピット記録形式のＲＯＭ層を説明する概略図である。
【図９】オンピット記録形式のＲＯＭ層を説明する概略図である。
【図１０】Ｌ０層がＲＯＭ層であり、Ｌ１層がＲＥ層である光情報記録媒体の構成を表す概略図である。
【図１１】（ａ）（ｂ）はオポジットトラックパスの説明図であり、（ａ）は光入射面から見たＬ０層のトラックパス方向を表す説明図であり、（ｂ）は光入射面から見たＬ１層のトラックパス方向を表す説明図である。
【図１２】（ａ）（ｂ）はパラレルトラックパスの説明図であり、（ａ）は光入射面から見たＬ０層のトラックパス方向を表す説明図であり、（ｂ）は光入射面から見たＬ１層のトラックパス方向を表す説明図である。
【図１３】（ａ）は、オポジットトラックパスの場合の情報の記録再生の様子を説明する図であり、（ｂ）は、パラレルトラックパスの場合の情報の記録再生の様子を説明する図である。
【図１４】再生機がプリピットを再生する際の再生光学系のプッシュプル信号を表し、極性がポジティブであるプッシュプル信号の様子を表す図である。
【発明を実施するための形態】
【００６４】
以下、本発明の実施の形態について、詳細に説明する。
（光情報記録媒体１の概略構成）
本発明の一実施の形態に係る光情報記録媒体１の構成について説明する。
【００６５】
図１は、光情報記録媒体１の構成を表す概略図である。
【００６６】
図１に示すように、光情報記録媒体１は、基板５０上に、再生光によって情報を読み出すことが可能な複数の情報記録層であるＲＯＭ層２０及びＲＥ層４０と、ＲＯＭ層２０及びＲＥ層４０を分離する中間層３０と、基板５０より最も遠い位置に設けられた透光層１０と、を有する。つまり、光情報記録媒体１は、情報記録層にＲＯＭ層２０及びＲＥ層４０を含むコンビネーションディスクである。また、透光層１０が配置される側が、再生光の入射側である。
【００６７】
また、ＲＯＭ層２０は、情報を読み出すことのみ可能な層である。そして、ＲＥ層４０は、情報を書き換えることが可能な領域を含む書き換え層である。ＲＥ層４０は、透光層１０より最も遠い位置に設けられた情報記録層であり、且つ光照射によって情報を読み出すことのみ可能な層において用いられている情報記録形式より容易に判定可能な方式で記録されるディスクタイプ識別情報及び個体識別番号の記録層である。
【００６８】
透光層１０は、例えば、厚さ７５μｍの紫外線硬化樹脂（再生光波長４０５ｎｍにおける屈折率１．５０）からなる。透光層１０の材料は、再生光の波長において透過率が高いものであれば良い。すなわち、透光層１０は、例えばポリカーボネートフィルムと透明粘着剤とで形成されていても良い。
【００６９】
ここで、通常ＲＯＭ層とＲＥ層とでは、信号の変調度が異なるため、光入射面上への指紋や埃の付着や光入射面の傷つき等に起因するノイズに対する耐性が異なる。一般的に、ＲＥ層より、ＲＯＭ層のほうが信号の変調度が高いため、ＲＥ層より、ＲＯＭ層のほうが光入射面上への指紋や埃の付着や光入射面の傷つき等に起因するノイズに対する耐性が高い。このため、透光層表面の防汚特性や耐擦傷特性がＲＯＭ層にのみ適合するものである場合、ＲＥ層への記録やＲＥ層からの情報の再生が正しく出来ない可能性がある。
【００７０】
そこで、光情報記録媒体１によると、透光層１０表面の防汚特性及び耐擦傷特性が、ＲＥ層４０を基準に定められている。
【００７１】
つまり、透光層１０の表面は、ＲＥ層４０への記録及び再生に悪影響を及ぼさない防汚特性（指紋等が付着した場合においてもＲＥ層４０からの再生信号等が劣化しない特性）と耐擦傷特性とを有している。
【００７２】
これにより、ＲＯＭ層２０とＲＥ層４０とを備えるコンビネーションディスクである光情報記録媒体１で、ＲＥ層４０への情報の記録や、ＲＥ層４０から読み取った情報の再生を正しく行なうことができる。
【００７３】
この、ＲＥ層４０を基準に定められている透光層１０表面の防汚特性及び耐擦傷特性とは、例えば、ＲＥ層を有する光情報記録媒体の透光層表面に対して、特許文献２に記載の擬似指紋付着試験や磨耗試験を行った後、ＲＥ層から信号を再生した場合、実用上問題ない程度に信号の劣化が抑制されるようになっていればよい。
【００７４】
なお、このＲＥ層４０を基準に定められている透光層１０表面の防汚特性及び耐擦傷特性は、当業者によって、適宜決定されればよい。
【００７５】
また、上記防汚特性と耐擦傷特性は、透光層１０表面にハードコートが設けられることによって満たされていても良い。
【００７６】
また、具体的な防汚特性と耐擦傷特性としては、２層のＢＤ−ＲＥの防汚特性と耐擦傷特性の基準を満たす特性であることが望ましい。
【００７７】
上記防汚特性と耐擦傷特性を満たすための具体的な方法としては、以降に説明するＲＯＭ層表面に、２２μｍ厚の透明粘着層を介して５０μｍ厚のポリカーボネートフィルム貼合し、その表面にハードコートとして、コロイダルシリカが分散された紫外線硬化型樹脂であるデソライトＺ７５０３（ＪＳＲ（株）製）を、スピンコート法により塗布し、６０℃で３分間乾燥して希釈溶剤を除去したのち、紫外線を照射することにより硬化させた後（硬化後の厚さは３μｍ）、フッ素プラズマ処理を施すことより得ることが出来る。さらに、透光層１０の厚さは、光情報記録媒体の再生装置（駆動装置）が有する光学系に応じて変更されても良い。具体的には、透光層１０は、例えば０．６ｍｍのポリカーボネ−ト基板であっても良い。
【００７８】
ＲＯＭ層２０は、例えば、厚さ９ｎｍのＡＰＣ（ＡｇＰｄＣｕ）からなりスパッタ法により中間層３０の表面に成膜されている。ＲＯＭ層２０の厚さ及び材料は、これに限られるものではなく、ＲＯＭ層２０として必要な再生光波長における透過率と反射率を有していれば良い。
【００７９】
中間層３０は、例えば、厚さ２５μｍの透明紫外線硬化樹脂（再生光波長における屈折率１．５０）からなる。中間層３０の材料は、これに限られたものではなく、再生光の波長において透過率が高い材料であれば良い。また、中間層３０の厚さも、これに限られたものではなく、各情報記録層（ここでは、ＲＯＭ層２０及びＲＥ層４０）を分離でき、層間クロストークが問題にならない適度の厚さであれば良い。なお、層間クロストークとは、再生中の情報記録層以外の情報記録層からのノイズを指す。
【００８０】
さらに、中間層３０は、単層構造であっても多層構造であっても良い。また、この中間層３０の、ＲＯＭ層２０側の面には、２Ｐ法（ｐｈｏｔｏ  ｐｏｌｙｍａｒｉｚａｔｉｏｎ法）により、ＲＯＭ層２０に形状として記録される情報に応じた凹凸からなるプリピットが設けられている。
【００８１】
ここで、２Ｐ法とは、平板と原盤との間に紫外線硬化樹脂を充填し、紫外線を照射して紫外線硬化樹脂を硬化させた後原盤を剥離することによって、平板上に原盤の凹凸を転写する手法を指す。
【００８２】
また、ＲＯＭ層２０に設けられているプリピットの記録形式は、オンピット、すなわち、ＲＯＭ層を再生する場合のプッシュプル信号の極性はポジティブとなっている。
【００８３】
なお、プッシュプル信号の極性がポジティブとは、再生信号の受光部が内周と外周に２分割されており、外周側の受光部から得られる電圧から、内周側の受光部から得られる電圧を引くことによってプッシュプル信号が算出される再生機において、プリピットの情報を再生しているトラックから内周にジャンプした場合、図１４に示すようにプッシュプル信号のレベルが０、正、０、負、０となる順で得られることを意味する。当業者には一般的な表現である。
【００８４】
図１４は、再生機がプリピットを再生する際の再生光学系のプッシュプル信号を表し、極性がポジティブであるプッシュプル信号の様子を表す図である。
【００８５】
光情報記録媒体１のように、透光層１０より最も遠い位置に設けられた情報記録層が、ＲＥ層４０であるコンビネーションディスクの場合、ＲＯＭ層２０に設けられているプリピット２１の記録形式は、オンピットにする（ＲＯＭ層２０を再生する場合のプッシュプル信号の極性をポジティブにする）ことにより、コンビネーションディスクにおける再生不良が防止可能になる。
【００８６】
なお、これについて、詳細は後述する。
【００８７】
ＲＥ層（Ｌ０層）４０は、例えば、スパッタ法等により７層の薄膜が積層されてなるものである。具体的には、この７層の薄膜は、再生光の入射側から、第１保護膜４１（厚さ３５ｎｍのＺｎＳ−ＳｉＯ２）、第２保護膜４２（厚さ５ｎｍのＺｒＯ２）、記録層４３（厚さ１０ｎｍのＧｅＴｅ−Ｓｂ２Ｔｅ３）、第３保護膜４４（厚さ５ｎｍのＺｒＯ２）、第４保護膜４５（厚さ３５ｎｍのＺｎＳ−ＳｉＯ２）、第５保護膜４６（厚さ５ｎｍのＺｒＯ２）、及び反射膜４７（厚さ２０ｎｍのＡＰＣ（ＡｇＰｄＣｕ））が順に積層されている。なお、ＲＥ層４０の材料、厚さ及び層数は、これに限られるものではなく、ＲＥ層として機能するものであれば良い。
【００８８】
基板５０には、例えば、直径１２０ｍｍ、厚さ１．１ｍｍである、グルーブを有するポリカーボネートの円盤状基板からなる。基板５０の材料及び厚さは、これに限られるものではなく、表面にグルーブが設けられており、かつ基板として使用できる程度の所定の強度があれば良い。具体的には、基板５０は、例えばポリオレフィン樹脂、金属、ガラス等からなっていても良い。さらに、基板５０は、多層構造であっても良い。
【００８９】
図２は、光情報記録媒体１の構成の概略を表す平面図である。
【００９０】
図３は、光情報記録媒体１に配置されているＢＣＡの一例を表す概略図である。
【００９１】
図２に示すように光情報記録媒体１は、通常の情報の記録再生を行うための領域である領域Ａ（コンテンツ記録領域）と、ＢＣＡを記録再生するための領域である領域Ｂとを含む。
【００９２】
領域Ａは、ユーザが使用するためのコンテンツ情報などの記録再生を行なうための領域であり、記録されている情報を再生する際にトラッキングが必要な情報記録領域である。
【００９３】
領域Ｂは、ＢＣＡを記録するためのＢＣＡ記録領域であり、光情報記録媒体１の内周側に設けられている。領域Ｂは、後述するディスクタイプ識別情報及び個体識別番号が記録される情報を再生する際にトラッキングが必須ではない領域である。
【００９４】
ＢＣＡは、基板５０の直上であるＬ０層に設けられている。
【００９５】
ＢＣＡは、ＲＯＭ層２０において用いられている情報記録形式より容易に判定可能（検出可能）な方式で記録されている。また、ＢＣＡは、ディスクタイプ識別情報及び個体識別番号を含むものである。ＢＣＡの一例を図３に示す。図３では、矢印ａは長さを表し、矢印ｂは幅を表す。
【００９６】
光情報記録媒体１では、上記ディスクタイプ識別情報及び上記個体識別情報は、透光層１０より最も遠い位置に設けられた情報記録層であるＬ０層に記録されている。
【００９７】
このため、上記複数の情報記録層のうち、上記ディスクタイプ識別情報及び上記個体識別情報がどの層に記録されているかを、上記ディスクタイプ識別情報及び上記個体識別情報を再生する再生装置に、予め設定させておくことが可能となる。これにより、上記複数の情報記録層のうち、上記ディスクタイプ識別情報及び上記個体識別情報が記録されている層を、上記再生装置に特定させるための時間を短縮することができる。さらに、同一の再生装置で、さまざまなディスクタイプの光情報記録媒体の共有化が容易になる。
【００９８】
また、上記構成によると、透光層１０から最も遠い位置に設けられた情報記録層が、ＲＥ層である。上記構成によると、Ｌ０層としてＲＥ層４０が配置されることとなる。
【００９９】
このため、Ｌ０層としてＲＯＭ層を配置した場合に生じる、ＲＯＭ層にＢＣＡを記録する際のＲＥ層と、当該ＲＥ層の上層または下層に配される中間層や、透光層などと、が剥離することを防止することができる。このため、Ｌ０層にＢＣＡ記録された上記ディスクタイプ識別情報や、上記個体識別番号などを、正しく再生装置などに再生させることができる（詳細は後述する）。
【０１００】
このように、光情報記録媒体１は、ＤＶＤタイプよりも、記録容量アップが図りやすいＢＤ形式の多層ディスクであり、且つコンビネーションディスクにおいては、Ｌ０層にユーザが利用する情報記録形式より容易に判定可能な方式で記録されるディスクタイプ識別情報及び個体識別番号があると共に、ＲＥ層４０を配置する構成である。
【０１０１】
上記構造により、光情報記録媒体１の記録再生装置におけるディスクタイプの確認が容易となり、一つの記録再生装置で他の種類の光ディスクと共用化できると共に、ディスクの生産が容易になる。そしてＲＯＭ層の旧データを、ネット接続できる際に得た更新データをＲＥ層に記録し、置き換えることが可能になるコンビネーションディスクが実現できる。
【０１０２】
また、ＲＥ層への記録不良や、ＲＥ層からの信号再生不良を防止でき、更に前述した理由によりＲＯＭ層からＲＥ層へのレイヤージャンプに失敗した場合においても、記録再生装置が混乱する等の再生不良を防止することができる。
【０１０３】
なお、本発明の実施の形態に係る光情報記録媒体は上記に限るものではなく、ＲＥ層やＲＯＭ層が更に設けられた３層以上の情報記録媒体であっても良く、その場合は透光層や中間層の厚みが上記と異なっても良い。
【０１０４】
ＢＣＡは、パルスレーザー光が、Ｌ０層であるＲＥ層４０に照射されることにより、μｍ単位の幅で長さがμｍ単位からｍｍ単位のストライプがＲＥ層４０に形成される。これにより、ＢＣＡがＲＥ層４０に形成される。
【０１０５】
ＢＣＡは、μｍ単位の幅で長さが数百μｍのストライプであるので、ＲＯＭ層２０に形成されるプリピットなどより大きい。このため、ＢＣＡを再生する再生装置のフォーカスが多少ずれたとしてもトラッキングを行わなくとも上記再生装置で読み取ることが可能である。このため、ＢＣＡは、ＲＯＭ層においてＲＯＭ層において用いられるプリピットより、容易に判別可能な方式で、Ｌ０層であるＲＥ層４０に記録される。
【０１０６】
また、光情報記録媒体１において、領域Ｂは、領域Ａより内周に配置されている。つまり、ＢＣＡは、光情報記録媒体１の内周近傍に配置される。このため、ＢＣＡを光情報記録媒体１の外周近傍に配置する場合と比較して、光情報記録媒体１に記録するＢＣＡの記録量を少なくすることができる。このため、ＢＣＡを光情報記録媒体１に記録するための時間短縮することができる。
【０１０７】
また、ＲＥ層４０（書き替え層）のアドレスは、ＲＥ層４０に設けられたグルーブを基板面方向に蛇行させることによって記録され、ＲＯＭ層２０のアドレスは、ＲＯＭ層２０に設けられた凹凸からなるプリピットにより記録されている。
【０１０８】
ここで、ＲＥ層４０には、情報記録時に半径方向に隣接する記録マーク同士が干渉しないように、または精度良く再生するために、通常グルーブが設けられている。よって、アドレス情報を記録するためには、上記書き換え層に設けられたグルーブを、基板面方向に蛇行させることによって記録する（以下、ウォブルと称する）ことが最も容易である。一方、グルーブ上にプリピットを設けたり、グルーブの途中にプリピットを設けたりすることは、作業が複雑になるため作製コストが増大する。
【０１０９】
同様に、ＲＯＭ層２０には一般に凹凸からなるプリピットにより情報記録されているので、上記と同様の理由により、アドレス情報を記録するためには、記録形式がオンピットのプリピットを設けることにより、作製コストの増大を防止することができる。
【０１１０】
（従来の問題点）
次に、図４（ａ）〜（ｃ）を用い、従来のコンビネーションディスクにおけるＢＣＡを記録する際の問題点について、以下に示す２種類の媒体におけるＢＣＡ記録結果を用いて説明する。
【０１１１】
図４（ａ）は、Ｌ０層及びＬ１層が共に、ＲＯＭ層である光情報記録媒体の構成を表す概略図であり、（ｂ）はＬ０層及びＬ１層が共に、ＲＥ層である光情報記録媒体の構成を表す概略図であり、（ｃ）はＬ０層がＲＥ層であり、Ｌ１層がＲＯＭ層である光情報記録媒体の構成を表す概略図である。つまり図４（ｃ）は光情報記録媒体１の構成を表す。
【０１１２】
図４（ａ）に示すように、光情報記録媒体１１０は、再生光の入射面側から順に、透光層１０、ＲＯＭ層１２０、中間層３０、ＲＯＭ層１４０及び基板５０が積層された構造となっている。
【０１１３】
透光層１０は、厚さ７５μｍの紫外線硬化樹脂（再生光波長４０５ｎｍにおける屈折率１．５０）からなる。
【０１１４】
ＲＯＭ層１２０は、厚さ９ｎｍのＡＰＣ（ＡｇＰｄＣｕ）からなる。ＲＯＭ層１２０を形成するＡＰＣは、スパッタ法により中間層３０の表面に成膜されている。
【０１１５】
中間層３０は、厚さ２５μｍの透明紫外線硬化樹脂（再生光波長における屈折率１．５０）からなる。また、この中間層３０の、ＲＯＭ層１２０側の面には、２Ｐ法により、ＲＯＭ層１２０に形状として記録される情報に応じた凹凸からなるプリピットが設けられている。
【０１１６】
ＲＯＭ層１４０は、厚さ１７ｎｍのＡＰＣ（ＡｇＰｄＣｕ）からなる。ＲＯＭ層１４０を形成するＡＰＣは、スパッタ法により基板５０の表面に成膜されている。
【０１１７】
基板５０には、外径１２０ｍｍ、内径１５ｍｍ、厚さ１．１ｍｍである、グルーブを有するポリカーボネートの円盤状基板を使用した。
【０１１８】
図４（ｂ）に示すように、光情報記録媒体２００は、再生光入射面側から順に、透光層１０、ＲＥ層（Ｌ１層）２２０、中間層３０、ＲＥ層（Ｌ０層）２４０及び基板５０が積層された構造となっている。
【０１１９】
透光層１０は、厚さ７５μｍの紫外線硬化樹脂（再生光波長における屈折率１．５０）からなる。
【０１２０】
ＲＥ層（Ｌ１層）２２０は、６層の薄膜からなる。図示しないが、この６層の薄膜は、再生光入射側から、第１保護膜（厚さ３５ｎｍのＺｎＳ−ＳｉＯ２）、第２保護膜（厚さ５ｎｍのＺｒＯ２）、記録層（厚さ６ｎｍのＧｅＴｅ−Ｓｂ２Ｔｅ３）、第３保護膜（厚さ５ｎｍのＺｒＯ２）、半透明膜（厚さ１０ｎｍのＡＰＣ（ＡｇＰｄＣｕ））、及び透過率調整膜（厚さ１９ｎｍのＴｉＯ２）が順に積層されてなる。
【０１２１】
中間層３０は、厚さ２５μｍの透明紫外線硬化樹脂（再生光波長における屈折率１．５０）からなる。また、この中間層３０の、ＲＥ層（Ｌ１層）２２０側の面には、２Ｐ法によりグルーブが設けられている。
【０１２２】
ＲＥ層（Ｌ０層）２４０は、スパッタ法により７層の薄膜が積層されている。図示しないが具体的には、この７層の薄膜は、再生光入射側から、第１保護膜（厚さ３５ｎｍのＺｎＳ−ＳｉＯ２）、第２保護膜（厚さ５ｎｍのＺｒＯ２）、記録層（厚さ１０ｎｍのＧｅＴｅ−Ｓｂ２Ｔｅ３）、第３保護膜（厚さ５ｎｍのＺｒＯ２）、第４保護膜（厚さ３５ｎｍのＺｎＳ−ＳｉＯ２）、第５保護膜（厚さ５ｎｍのＺｒＯ２）、及び反射膜（厚さ２０ｎｍのＡＰＣ（ＡｇＰｄＣｕ））が順に積層されている。
【０１２３】
基板５０には、外径１２０ｍｍ、内径１５ｍｍ、厚さ１．１ｍｍである、グルーブを有するポリカーボネートの円盤状基板を使用した。
【０１２４】
そして、光情報記録媒体１１０を用いて、Ｌ０層がＲＯＭ層１４０である２層媒体におけるＬ０層へのＢＣＡ記録に必要なパワーを測定するため、記録再生装置として、波長８０８ｎｍのレーザ光を出射可能な半導体レーザを有するＢＤ−ＲＥ用ＢＣＡ記録装置（パルステック社製  ＯＤＩ−１０００）にて、レーザパワーを変更しながら光情報記録媒体１１０のＲＯＭ層１４０にＢＣＡ記録をおこなった。
【０１２５】
しかしながら、上述のＢＤ−ＲＥ用ＢＣＡ記録装置の最大出力である２Ｗ（ＢＣＡ記録時の線速３ｍ/ｓ）においても、光情報記録媒体１１０のＬ０層であるＲＯＭ層１４０にＢＣＡ記録することは出来なかった。
【０１２６】
次に、上記ＢＤ−ＲＥ用ＢＣＡ記録装置を用いて、最大出力である２Ｗ（ＢＣＡ記録時の線速３ｍ/ｓ）で、光情報記録媒体２００のＬ０層であるＲＥ層２４０へのＢＣＡ記録を行い、光情報記録媒体２００の表面を目視にて確認した。その結果を図５に示す。
【０１２７】
図５は、光情報記録媒体２００へのＢＣＡ記録を行った実験結果の様子を表す説明図である。また、図６は、図５で示す測定箇所で示す矢印に沿って、光情報記録媒体２００の表面である透光層１０の厚みを測定した結果を表すグラフである。
【０１２８】
図５の測定箇所を示す矢印は、紙面向かって左側方向が、光情報記録媒体２００の内径方向であり、紙面向かって右側方向が光情報記録媒体２００の外周方向である。そして、図５では、横軸は光情報記録媒体２００上の測定位置を表し、縦軸は光情報記録媒体２００表面である透光層１０の厚みを表す。
【０１２９】
また、図５の原点を表す位置は、図６の横軸の測定位置が「０」の位置を表す。そして、図５の測定箇所を表す矢印の内径方向は、図６の測定位置としては負の方向を示す。また、図５の測定箇所を表す矢印の外周方向は、図６の測定位置としては正の方向を示す。
【０１３０】
図５に示すように、光情報記録媒体２００にＢＣＡ記録を行ったＢＣＡ記録箇所が変色していることが目視によって確認することができた。
【０１３１】
また、図６に示すように、測定位置が「−１」近傍で、透光層１０の厚みが厚くなっていることが分かる。このように、図５、図６の結果から明らかなように、光情報記録媒体２００のＢＣＡ記録を行った半径位置において、透光層１０の厚みが増大している。
【０１３２】
この増大は、Ｌ１層において、ＲＥ層２２０と、透光層１０とが剥離したことによって生じたものであると考えられる。
【０１３３】
また、確認のため、上記半径位置のＬ０層へ、ＢＤ用評価機であるパルステック製ＯＤＵ−１０００にてフォーカスサーチを試みたところ、フォーカスが不可となっていることが判明した。
【０１３４】
このようにフォーカスが不可となった原因は、上述した透光層１０の剥離が、Ｌ０層であるＲＥ層２４０へのフォーカスを阻害していると考えられる。すなわち、透光層１０が剥離すると、Ｌ０層の情報を再生することは不可能ということになる。
【０１３５】
よって、Ｌ０層がＲＯＭ層であり、Ｌ１層がＲＥ層である２層の光情報記録媒体には、透光層の剥離無しにＢＣＡ記録を行うことはできない。このため、Ｌ０層がＲＯＭ層であり、Ｌ１層がＲＥ層である２層の光情報記録媒体へは、実質、ＢＣＡ記録が不可であることになる。
【０１３６】
加えて、ＲＯＭ層へのＢＣＡ記録は、より多層の光情報記録媒体になれば、より高いレーザパワーにて行う必要があるため、上記結果は、ＲＥ層とＲＯＭ層とが混在するＢＤタイプのコンビネーションディスクにおいて、他の種類の媒体との共用化を図るために、Ｌ０層にＢＣＡ記録を行う場合には、Ｌ０層はＲＯＭ層であってはならないことを示している。
【０１３７】
上記は、ＲＯＭ層に通常用いられる膜構成を適応した場合についての説明であり、ＢＣＡの書き込み可能とする為だけに、Ｌ０層のＲＯＭ層をＲＥ層と同じ膜構成で形成すれば、Ｌ０層がＲＯＭ層であっても、Ｌ０層へのＢＣＡ記録は可能となる。
【０１３８】
ただし、ＲＯＭ層の材料コストが格段に増加してしまうため、現実的ではないと言える。
【０１３９】
なお、ＲＥ層（Ｌ１層）２２０は、２層のＢＤ−ＲＥのＬ１層に一般に用いられている構成である。また、ＲＥ層（Ｌ１層）２２０の構成を他の構成としても、光を吸収して発熱する点では大差が無いため、結果は変わらない。
【０１４０】
すなわち、ＲＥ層と、ＲＯＭ層とが混在するＢＤタイプのコンビネーションディスクにおいては、Ｌ０層は、必ずＲＥ層である必要があることになる。
【０１４１】
また、図４（ｃ）のように、Ｌ０層にＲＥ層４０を設け、Ｌ１層にＲＯＭ層２０を設けたＢＤタイプのコンビネーションディスクとして光情報記録媒体１を作製した。そして、Ｌ０層であるＲＥ層４０にＢＣＡ記録を行ったところ、問題なくＢＣＡ記録ができることを確認した。つまり、光情報記録媒体１のように、Ｌ０層にＲＥ層４０を設け、Ｌ１層にＲＯＭ層２０を設けることにより、ＢＣＡ記録を行った箇所の透光層が剥離するなどの問題は生じないことが確認できた。
【０１４２】
（プリピットの記録形式について）
次に、情報記録層（ＲＯＭ層、およびＲＥ層）に形成されるプリピットの形式について説明する。
【０１４３】
図７は、オングルーブ記録形式のＲＥ層を説明する概略図である。図８は、インピット記録形式のＲＯＭ層を説明する概略図である。図９は、オンピット記録形式のＲＯＭ層を説明する概略図である。
【０１４４】
図４（ｃ）に示したような光情報記録媒体１のように、透光層１０より最も遠い位置に設けられた情報記録層が、ＲＥ層４０であるコンビネーションディスクの場合、ＲＯＭ層２０に設けられているプリピットの記録形式は、オンピットにする（ＲＯＭ層２０を再生する場合のプッシュプル信号の極性はポジティブになる）ことにより、コンビネーションディスクにおける再生不良が防止可能になる。
【０１４５】
上記構造により、再生不良が防止できる理由を説明するために、まず、最初に、上記以外の構造においては、再生不良が発生することを説明する。
【０１４６】
例えば、ＢＤ−ＲＥの場合、記録膜（ＲＥ層４０）として先にも述べたもの以外にも、Ｔｅ、Ｉｎ、Ｇａ、Ｓｂ、Ｓｅ、Ｐｂ、Ａｇ、Ａｕ、Ａｓ、Ｃｏ、Ｎｉ、Ｍｏ、Ｗ、Ｐｄ、Ｔｉ、Ｂｉ、Ｚｎ、Ｓｉ等の材料の少なくとも１種類以上からなる合金等などが幅広く一般的に知られており、すでに多くの材料が公知の技術として存在する。記録膜として形成された材料に記録レーザーを用いて熱を加えることで、結晶/非結晶の状態変化を起こし、そこへ読み込みレーザを照射する事で、記録膜からの結晶/非結晶の状態に伴う、反射率の変化によって、記録された情報を得ることができる。
【０１４７】
記録されるグルーブ方向に関しては、ＲＥ層４０のグルーブ４８間のピッチが例えば０．３２μｍのように狭い場合、凸部（グルーブ４８上）と凹部（グループ４８間）とで記録レーザーの入射光にとって熱的に等価ではなくなり、凹部に記録マーク４９を記録する時は、入射光は凸部と凹部の壁を乗り越えて隣の凸部にまで届き、クロスライトの原因になるため、必然的にＲＥ層４０では、図７に示すようなグルーブが凸部になる配置（凸部に記録マーク４９を配置する構成）であるオングルーブでの記録再生がクロスライトに対して有効な手法であり、必須である。
【０１４８】
次に、図４（ａ）に示した光情報記録媒体１１０の情報記録層の場合について説明する。
【０１４９】
コンビネーションが、上述した構造ではなく、透光層１０より最も遠い位置に設けられた情報記録層が、ＲＯＭ層１４０である場合、すなわち、基板５０の表面の上にＲＯＭ層１４０が設けられている場合、ＲＯＭ層１４０に設けられるプリピット１４１の記録形式は、図８に示すようなインピットとなる。インピットは、プリピット１４１が、再生光の入射側とは反対側に凹形状となっている構成である。
【０１５０】
なぜならば、基板作製には、一般的に射出成型を用いるが、その場合Ｎｉスタンパが必要となる。
【０１５１】
ここで、一般的な光ディスク生産に用いられる、Ｎｉスタンパの作成方法を説明する。最初に、ガラス等を用いた原盤を準備し、原盤上にプライマー処理を施した後に、レジスト塗布及び乾燥の為にベークを行う。
【０１５２】
その後レジスト原盤の表面をレーザービーム等を用いた露光装置によって露光した後、アルカリ溶液等を用いて現像、レジストが除去されることでピット形状が形成される。この時形成されたピット形状はインピット形状となる。その後ピット形成されたレジスト原盤表面に導電膜処理を施し、電鋳等により複製しＮｉスタンパが完成するが、この時のピット形状は、現像後のインピット形状から反転し、オンピット形状となる。（図示せず。）
また、例えばＢＤ−ＲＯＭのような再生波長４０５ｎｍで開口数０．８５の光学系に対応するような記録密度（１−７ＰＰ変調で最短マーク長が約１４９ｎｍとなるような記録密度）である場合、従来までの低密度用のスタンパようにＮｉスタンパのコピー（反転複製）を得ることが、極めて困難になる（コピーできた場合、コピー後のＮｉスタンパ（マザースタンパ）の記録形式は、反転複製されインピットとなる）。
【０１５３】
なお困難になる理由について以下に説明する。
【０１５４】
一般的にスタンパのマザースタンパは、最初のＮｉスタンパ（ファザースタンパ）表面に、酸化皮膜を形成し、酸化皮膜上に電鋳を行う事で得ることが可能となる。
【０１５５】
高密度記録用スタンパのコピー時には、上記酸化皮膜生成工程において、従来より細かな維持管理が必要となる。なぜならば、酸化皮膜残留物がマザースタンパ上に残ると、再生信号品位の低下に繋がってしまうが、高密度になればなるほど、その影響が大きくなる為である。またファザースタンパ表面には酸化皮膜が形成されるため、信号品位の観点から生産への使用は好ましくない。
【０１５６】
したがって、実質的にもコスト的にも（マザースタンパを用いることはコスト増を意味する）基板成型の際に用いられるＮｉスタンパの記録形式はオンピットとなるため、成型された基板に設けられるプリピットの記録形式は、反転複製されるため実質的に必ずインピットとなる。
【０１５７】
しかしながら、透光層１０より最も遠い位置に設けられた情報記録層が、ＲＯＭ層であるコンビネーションディスクにおいては、上記場合には再生時に以下の現象が起こりえる。
【０１５８】
例えば、図１０に示すような、透光層１０より最も遠い位置に設けられた情報記録層が、ＲＯＭ層３４０であり、再生光の入射側にＲＥ層３２０が配されている光情報記録媒体３００の場合について検討する。
【０１５９】
図１０は、Ｌ０層がＲＯＭ層であり、Ｌ１層がＲＥ層である光情報記録媒体の構成を表す概略図である。
【０１６０】
通常、ＲＥ層は、情報記録時に、ＲＯＭ層と同様にアドレスを記録マークにて記録される。よってＲＥ層の情報が記録された領域を再生する場合、オングルーブ記録がなされているとの設定で情報の再生が行われる。
【０１６１】
次に、ＲＯＭ層３４０から上述のようにして情報（記録マーク４９）が記録されたＲＥ層３２０へレイヤージャンプが行われた場合、必ずＲＥ層３２０にフォーカスされる保証はない。
【０１６２】
誤ってＲＯＭ層にフォーカスされてしまった場合であっても、通常のＲＥ層用のトラキング手法であるＤＰＰでＲＯＭ層においてもトラッキング可能である。このため、オングルーブでの情報記録に対応したプッシュプル信号の極性（ポジティブ）でトラッキングすると、ＲＯＭ層におけるプリピットの記録形式はインピットであるため（再生するためのプッシュプル信号の極性はネガティブ）、ＲＯＭ層の再生ができず、どの層にフォーカスされているか判断できず、再生不良を起こしてしまうという問題が生じてしまう。
【０１６３】
一方、図４（ｃ）に示したように、透光層１０より最も遠い位置に設けられた情報記録層が、ＲＥ層４０であるコンビネーションディスク（光情報記録媒体１）の場合、ＲＯＭ層２０は、通常２Ｐ法（ｐｈｏｔｏ  ｐｏｌｙｍａｒｉｚａｔｉｏｎ法）によって形成される。
【０１６４】
この場合、ＲＯＭ層２０の形成方法には一般的には２種の方法が用いられている。
【０１６５】
一つは、射出成型を行う場合と同じくＮｉスタンパを原盤として用いる方法（形成されるＲＯＭ層２０におけるプリピットの記録形式はインピット）であり、もう一つはＮｉスタンパを用いた射出成型により作製した樹脂基板を原盤として用いる方法（形成されるＲＯＭ層２０におけるプリピットの記録形式は図９に示すようなオンピット）である。両手法には一長一短があり、どちらがより有効であるとはいえない（実際のＢＤ−ＲＯＭの生産においても両手法が用いられていることからも明らか）。ここで、オンピット（オンピット形式）は、プリピット２１が、再生光の入射側に凸形状となっている構成である。
【０１６６】
したがって、ＲＯＭ層２０は、別段問題なくオンピットにて形成することが可能になり、その場合、上記で示したような再生不良が生じないことになる。
【０１６７】
このように、透光層１０より最も遠い位置に設けられた情報記録層が、ＲＥ層４０であるコンビネーションディスクの場合、ＲＯＭ層２０に設けられているプリピット２１の記録形式は、オンピットにする（ＲＯＭ層２０を再生する場合のプッシュプル信号の極性をポジティブにする）ことにより、コンビネーションディスクにおける再生不良が防止可能になる。
【０１６８】
（トラックパス）
次に、光情報記録媒体１のトラックパスについて説明する。
【０１６９】
図１１（ａ）（ｂ）はオポジットトラックパスの説明図であり、図１１（ａ）は光入射面から見たＬ０層のトラックパス方向を表す説明図であり、図１１（ｂ）は光入射面から見たＬ１層のトラックパス方向を表す説明図である。
【０１７０】
また、図１２（ａ）（ｂ）はパラレルトラックパスの説明図であり、図１２（ａ）は光入射面から見たＬ０層のトラックパス方向を表す説明図であり、図１２（ｂ）は光入射面から見たＬ１層のトラックパス方向を表す説明図である。
【０１７１】
図１３（ａ）は、オポジットトラックパスの場合の情報の記録再生の様子を表す説明図であり、図１３（ｂ）は、パラレルトラックパスの場合の情報の記録再生の様子を表す説明図である。
【０１７２】
一般的に、記録型の２層光情報記録媒体では、オポジットトラックパスが採用されている。これは、例えば、大量の情報を連続記録する場合、Ｌ０層の内周より記録を始めて、同層の最外周まで記録が終わると、次にはＬ１層への記録を始めることになるが、その場合、Ｌ１層のトラックパス方向が外周から内周に向かうオポジットトラックパスの場合は、ピックアップの半径方向の移動がほとんどない状態で、Ｌ１層へレイヤージャンプし、記録を続行することが出来る。
【０１７３】
一方、パラレルトラックパスの場合は、Ｌ０層の内周より記録を始めて、同層の最外周まで記録が終わると、次にはＬ１層への記録を始めるが、Ｌ１層のトラックパス方向は、内周から外周に向かう方向である。パラレルトラックパスの場合は、ピックアップの半径方向へ大きな移動を伴うことになる。このため、一般的に、パラレルトラックパスより、オポジットトラックパスの方が、記録時間を短縮できるためである。
【０１７４】
また、再生専用の２層光情報記録媒体においても同様のことが言えるため、一般に、再生専用の２層光情報記録媒体においても、オポジットトラックパスが採用されている。
【０１７５】
ところで、Ｌ０層がＲＥ層であり、Ｌ１層がＲＯＭ層であるコンビネーションディスクにおいては、ＲＥ層とＲＯＭ層はパラレルトラックパスであることが望ましい。
【０１７６】
つまり、光情報記録媒体１は、Ｌ０層であるＲＥ層４０のトラックパス方向が内周から外周に向かう方向となっており、且つＲＯＭ層２０のトラックパスがパラレルトラックパスとなっている。
【０１７７】
また、光情報記録媒体１は、ＲＯＭ層２０のリードイン領域（領域Ｂ）がコンテンツ等が記録された領域Ａ（図２参照）より内周部に設けられていることが好ましい。
【０１７８】
なぜならば、光情報記録媒体１は、連続記録時にＬ１層まで情報を記録することは無く、光情報記録媒体１に記録された情報を再生する際も、前述したＲＯＭ層２０の旧データを、ネット接続できる際に得た更新データをＲＥ層４０に記録し、置き換えるような使用を考えた場合、ＲＥ層４０の補完情報を、ＲＯＭ層２０に記録された情報を再生する際に、適時用いる。このため、元々、光情報記録媒体１は、ＲＯＭ層２０からＲＥ層４０へ連続再生する方式は使えない。
【０１７９】
さらに、ＲＯＭ層２０においては、コンテンツの容量は、ＲＯＭ層２０の最大容量と一致していることはまずありえず、通常、コンテンツの容量は、ＲＯＭ層２０の最大容量より少ない。
【０１８０】
この場合、Ｌ１層のＲＯＭ層２０のトラックパス方向が外周から内周に向かう場合（オポジットトラックパスの場合）、リードイン領域に記録されている情報を再生後、すぐコンテンツ上を再生できるようにするため、ＲＯＭ層２０を再生するための情報を得るためのリードインエリアは、トラックパス方向の最も上流にあるべきである。よって、オポジットトラックパスの場合、ＲＯＭ層２０では、外周部にリードイン領域が設けられ、内周側が空白となることになる。
【０１８１】
ここで、リードインエリアには、主に、媒体種類情報、再生条件情報、記録条件情報、及びセクター最終番号情報など、光情報記録媒体に関する媒体情報が記録されている。
【０１８２】
媒体種類情報とは、Ｒ，ＲＥ，ＲＯＭ（本実施の形態の場合はＲＯＭ層とＲＥ層とのコンビネーション）等の種類の情報と層数に関する情報である。再生条件情報とは、推奨再生レーザパワー、線速等の情報である。記録条件情報とは、推奨記録パワー、推奨記録ストラテジ等の情報である。また、セクター最終番号情報とは、ＲＯＭ層の記録されている領域を示す情報である。
【０１８３】
ところで、一般に、記録再生装置が、光情報記録媒体のリードイン領域にアクセスする場合、サーボモーターによるピックアップの移動精度の限界により、光情報記録媒体のリードイン領域に半径方向にある程度の幅が無ければ、アクセスすることが出来ない。
【０１８４】
また、リードイン領域に記録されるべきディスク情報は、多くなく、一周のどの位置から再生が始まったとしても素早く情報が再生できるように、繰り返し記録されている。よって、同じ半径方向の幅のリードイン領域を設ける場合、内周部より外周部のディスク情報の記録の繰り返し数が格段に多くなってしまう。
【０１８５】
すなわち、同じ容量の情報を記録する際、トラックパス方向が内周から外周に向かうようにスタンパを作成する場合より、外周から内周に向かうようにスタンパを作成する方が、作製時間が大きくなることになる。
【０１８６】
現在のＢＤ−ＲＯＭに用いられているピットの大きさは、非常に小さいため、ＤＶＤを作製する為に用いられる露光装置では適応できず、ＥＢＲ等を用いたカッティングや無機レジストを用いたカッティングが必要になる。
【０１８７】
ＥＢＲ（電子線露光）によって、スタンパ製作を行なう場合、電子線を用いて対応するレジストを露光するため、十分な電子線を原盤上に塗布されたレジストに照射する必要がある。このため、カッティングのための線速を非常に遅くする必要があり、例えばＢＤ用２５ＧＢ容量のＲＯＭ用スタンパを作製するためには、２日の作業時間が必要となる。このように、ＥＢＲによって、スタンパ製作を行なう場合、従来のスタンパ作製に比較にならないほど長時間の作業時間が必要となる。
【０１８８】
すなわち、トラックパス方向が外周から内周に向かうようにスタンパを作成すると多大な時間がかかり、ＲＯＭ層の作製のコストが非常に高いものとなる。
【０１８９】
なお、ＢＤにおいては、線速度一定のフォーマットが用いられている。そのためピットあるいは、グルーブ等を形成するための露光条件も同様な、線速度一定の露光装置を用いている。
【０１９０】
線速度一定の露光である為、内周と外周では半径位置に合わせ記録時に用いる露光装置の回転速度が変化する事になる。例えば、線速度=４．９２ｍ／ｓｅｃで半径位置２４ｍｍを露光した場合、１９５７．６ｒｐｍとなり、半径位置５８ｍｍでは８１０ｒｐｍとなる。
【０１９１】
先に述べた、ＲＯＭ層がＬ１側のリードインエリアを外周側に設けた場合、内周側に設けた場合と同じ半径領域を必要とすると、リードインエリアの記録時間は速度的な比率から２．４倍以上の記録時間を必要とする計算となる。これは、ＥＢＲに比較して作業時間が少ない無機レジストを用いた露光によるスタンパの製造方法においても同じである。
【０１９２】
一方、多くのＬ０層のトラックパス方向が内周から外周に向かい、ＢＣＡが他の媒体の共用化するために内周に設けられていることから、ＢＣＡ再生後、すぐＲＥ層へアクセスし情報を記録する場合があることを想定できるので、Ｌ０層のトラックパス方向は、内周から外周に向かう方が好ましい。
【０１９３】
よって、ＲＥ層とＲＯＭ層が混在するＢＤタイプのコンビネーションディスクにおいてはＲＥ層とＲＯＭ層とがパラレルトラックパスとなっている方が好ましい。
【０１９４】
つまり、光情報記録媒体１のように、Ｌ０層であるＲＥ層４０のトラックパス方向が内周から外周に向かう方向となっており、且つＲＯＭ層２０のトラックパスがパラレルトラックパスとなっていることが好ましい。
【０１９５】
さらに、ＲＥ層とＲＯＭ層が更に多く混在する場合についても、同様な理由により、複数のＲＯＭ層の中で透光層から最も遠い位置に設けられているＲＯＭ層は、光情報記録媒体に設けられた情報記録層の中で透光層から最も遠い位置に設けられているＲＥ層のトラックパス方向とパラレルの関係になっているほうが好ましい。
【０１９６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１９７】
本発明は、コンビネーションディスクに適用できる。
【符号の説明】
【０１９８】
１    光情報記録媒体
１０  透光層
２０  ＲＯＭ層
２１  プリピット
３０  中間層
４０  ＲＥ層（書き換え層）
５０  基板
【図１】
2011040147.tif 000003
【図２】
2011040147.tif 000004
【図３】
2011040147.tif 000005
【図４】
2011040147.tif 000006
【図６】
2011040147.tif 000007
【図７】
2011040147.tif 000008
【図８】
2011040147.tif 000009
【図９】
2011040147.tif 000010
【図１０】
2011040147.tif 000011
【図１１】
2011040147.tif 000012
【図１２】
2011040147.tif 000013
【図１３】
2011040147.tif 000014
【図１４】
2011040147.tif 000015
【図５】
2011040147.tif 000016